(57)【特許請求の範囲】
【請求項１】
内部に記憶保持された楽曲データを無線にて送信する携帯音楽機器と、内部に記憶保持された楽曲データもしくは前記携帯音楽機器から無線にて受信した楽曲データを再生出力する受信機能付きオーディオ機器と、
前記携帯音楽機器に記憶保持された楽曲データの曲目及び前記受信機能付きオーディオ機器に記憶保持された楽曲データの曲目が一致するか否かを判断する曲目一致判断手段を備え、
前記曲目一致判断手段によって曲目が一致すると判断されるとき、前記受信機能付きオーディオ機器は、当該受信機能付きオーディオ機器に記憶保持されたその曲目の楽曲データを再生出力する音楽再生システムであって、
曲目が一致すると判断された楽曲データの音質を比較する音質比較手段と、前記携帯音楽機器及び前記受信機能付きオーディオ機器間における電波状態の良否を判断する電波状態判断手段とを備え、
前記音質比較手段によって、前記携帯音楽機器に記憶保持された楽曲データの音質の方が前記受信機能付きオーディオ機器に記憶保持された楽曲データの音質よりも高いと判断され、且つ、前記電波状態判断手段によって、前記携帯音楽機器及び前記受信機能付きオーディオ機器間における電波状態が良好であると判断されるとき、前記受信機能付きオーディオ機器は、当該受信機能付きオーディオ機器に記憶保持されたその曲目の楽曲データに替えて、前記携帯音楽機器から無線にて受信したその曲目の楽曲データを再生出力することを特徴とする音楽再生システム。
【請求項２】
請求項１において、
前記音質比較手段は、前記携帯音楽機器に記憶保持された楽曲データのサンプリング周波数と前記受信機能付きオーディオ機器に記憶保持された楽曲データのサンプリング周波数とを比較し、これら楽曲データのうちサンプリング周波数の高い楽曲データを音質が高い楽曲データであると判断することを特徴とする音楽再生システム。
【請求項３】
請求項１または２において、
前記電波状態判断手段は、前記携帯音楽機器及び前記受信機能付きオーディオ機器間における電波の電界強度が所定値を越えるとき、電波状態が良好であると判断する一方、前記電界強度が所定値以下であるとき、電波状態が不良であると判断することを特徴とする音楽再生システム。
【発明の詳細な説明】
【技術分野】
【０００１】
本発明は、無線受信機にて受信した楽曲データを再生出力する受信機能付きオーディオ機器および携帯音楽機器を備える音楽再生システムに関する。
【背景技術】
【０００２】
携帯音楽機器などから無線を介して受信した楽曲を受信機能付きオーディオ機器で再生する音楽再生システムが知られている。こうした音楽再生システムでは、無線を用いるため、携帯音楽機器と受信機能付きオーディオ機器との間における電波状態によっては、受信機能付きオーディオ機器で再生出力される楽曲が途切れてしまうことがある。
【０００３】
これに対し、例えば特許文献１に記載の技術のように、携帯音楽機器から受信機能付きオーディオ機器へ無線にて送信された楽曲データを一時的に記憶保持するバッファを受信機能付きオーディオ機器に設ける技術がある。これにより、携帯音楽機器と受信機能付きオーディオ機器との間の電波状態が良好な状態から不良な状態に変化したとしても、受信機能付きオーディオ機器側に既に送信されバッファに一時的に記憶保持されている楽曲データを用いて、楽曲データの再生出力を継続することができるため、その楽曲の途切れが生じることを低減することができるようになる。
【特許文献１】特開２００２−１７１１７６号公報
【発明の開示】
【発明が解決しようとする課題】
【０００４】
しかしながら、上記特許文献１に記載の技術では、バッファに一時的に記憶保持されている楽曲データの演奏時間を超えて電波の不良状態が継続すると、結局のところ、楽曲の途切れが生じてしまう。
【０００５】
本発明は、上記実情に鑑みてなされたものであって、その目的は、再生出力される楽曲の途切れ防止を図ることのできる音楽再生システムを提供することにある。
【課題を解決するための手段】
【０００７】
こうした目的を達成するため、請求項１に記載の発明では、内部に記憶保持された楽曲データを無線にて送信する携帯音楽機器と、内部に記憶保持された楽曲データもしくは前記携帯音楽機器から無線にて受信した楽曲データを再生出力する受信機能付きオーディオ機器と、前記携帯音楽機器に記憶保持された楽曲データの曲目及び前記受信機能付きオーディオ機器に記憶保持された楽曲データの曲目が一致するか否かを判断する曲目一致判断手段を備え、前記曲目一致判断手段によって曲目が一致すると判断されるとき、前記受信機能付きオーディオ機器は、当該受信機能付きオーディオ機器に記憶保持されたその曲目の楽曲データを再生出力する音楽再生システムであって、
曲目が一致すると判断された楽曲データの音質を比較する音質比較手段と、前記携帯音楽機器及び前記受信機能付きオーディオ機器間における電波状態の良否を判断する電波状態判断手段とを備え、前記音質比較手段によって、前記携帯音楽機器に記憶保持された楽曲データの音質の方が前記受信機能付きオーディオ機器に記憶保持された楽曲データの音質よりも高いと判断され、且つ、前記電波状態判断手段によって、前記携帯音楽機器及び前記受信機能付きオーディオ機器間における電波状態が良好であると判断されるとき、前記受信機能付きオーディオ機器は、当該受信機能付きオーディオ機器に記憶保持されたその曲目の楽曲データに替えて、前記携帯音楽機器から無線にて受信したその曲目の楽曲データを再生出力することを特徴とする。
【０００８】
音楽再生システムとしての上記構成では、曲目一致判断手段によって曲目が一致すると判断されるとき、受信機能付きオーディオ機器に記憶保持されたその曲目の楽曲データが再生出力される。この場合、通常、楽曲データは受信機能付きオーディオ機器に有線にて伝達されるため、楽曲の途切れが生じることはなくなる。したがって、上記請求項１あるいは２に記載の構成によれば、再生出力される楽曲の途切れ防止を図ることができるようになる。
【０００９】
なお、受信機能付きオーディオ機器で再生出力される楽曲の途切れ防止を図る技術としては、電波状態に応じてビットレートを制御する技術が知られている（例えば特開２００２−１５２３１０号公報参照）。詳しくは、携帯音楽機器と車載オーディオ機器（受信機能付きオーディオ機器）との間の電波状態が不良な状態である場合には、良好な状態である場合と比較して、携帯音楽機器から車載オーディオ機器へ単位時間に伝送することのできるデータ量が少なくなる。そのため、低いビットレートにてデータを伝送することで、楽曲の途切れの発生を低減することができるようにはなる。しかしながら、こうした技術では、楽曲の途切れの防止を図ることができるとしても、低いビットレートによるデータ伝送時においては、車載機器にて再生される楽曲の音質は低下してしまう。
【００１０】
なお、受信機能付きオーディオ機器の内部に記憶保持された楽曲データの音質が携帯音楽機器の内部に記憶保持された楽曲データの音質よりも低い場合もある。この場合、音質の低い楽曲データを再生出力するよりも、音質の高い楽曲データを再生出力することが望まれる。
【００１２】
そこで、音楽再生システムとしての上記構成では、携帯音楽機器の楽曲データの音質の方が受信機能付きオーディオ機器の楽曲データの音質よりも高いと判断され、且つ、携帯音楽機器及び受信機能付きオーディオ機器間における電波状態が良好であると判断されるとき、携帯音楽機器から無線にて受信した楽曲データが再生出力される。そのため、楽曲の途切れ防止を図りつつ、再生出力される楽曲の音質の向上を図ることができるようになる。
【００１６】
なお、曲目が一致すると判断された楽曲データの音質を比較する音質比較手段は任意の手段を用いることができるが、例えば請求項２に記載の発明のように、前記音質比較手段は、前記携帯音楽機器に記憶保持された楽曲データのサンプリング周波数と前記受信機能付きオーディオ機器に記憶保持された楽曲データのサンプリング周波数とを比較し、これら楽曲データのうちサンプリング周波数の高い楽曲データを音質が高い楽曲データであると判断することとしてもよい。
【００１７】
また、携帯音楽機器及び受信機能付きオーディオ機器間における電波状態の良否を判断する電波状態判断手段も任意の手段を用いることができるが、例えば請求項３に記載の発明のように、前記電波状態判断手段は、前記携帯音楽機器及び前記受信機能付きオーディオ機器間における電波の電界強度が所定値を越えるとき、電波状態が良好であると判断する一方、前記電界強度が所定値以下であるとき、電波状態が不良であると判断することとしてもよい。
【発明を実施するための最良の形態】
【００１８】
以下、本発明に係る音楽再生システムの一実施の形態について、図１〜図５を参照しつつ説明する。
【００１９】
本実施の形態の音楽再生システムは、ハードウエア構成を図１（ａ）に示す携帯音楽機器と、ハードウエア構成を図１（ｂ）に示す車載オーディオ機器とを備える。
【００２０】
図１（ａ）に示されるように、音楽再生システム１を構成する携帯音楽機器１００は、例えば楽曲情報を表示する表示部１０１、音楽再生システム１（主に当該携帯音楽機器１００）を操作するための操作部１０２、各部を制御する制御部１０３、音源や楽曲情報を記憶保持する記憶保持部（例：ハードディスク装置）１０４、この記憶保持部１０４に記憶保持される楽曲データを復号する復号化部１０７、車載オーディオ機器２００によって無線にて送信されるデータを受信する無線受信部１０８、車載オーディオ機器２００へデータを無線にて送信する無線送信部１０９、及び、車載オーディオ機器２００へデータを有線にて送信する有線送信部１１０等々を備える。
【００２１】
このうち、記憶保持部１０４には、適宜の圧縮形式（例えばＭＰ３形式等）にて各々圧縮された複数の楽曲データの集合体である音源１０５、この音源１０５を構成する各楽曲データについての楽曲情報（例えば、曲目及び歌手名並びに収録時のサンプリング周波数等）のデータベースである楽曲ＤＢ１０６がそれぞれ記憶保持されている。
【００２２】
また、携帯音楽機器１００は、図示しない適宜の接続端子を備え、後述する車載オーディオ機器２００にこの接続端子を介して有線にて接続可能な構造となっている。これにより、携帯音楽機器１００は、車載オーディオ機器２００によって充電され、これら携帯音楽機器１００及び車載オーディオ機器２００間でデータの送受信を有線にて行うことができる。
【００２３】
なお、携帯音楽機器の各構成要素については公知であるため、ここでのこれ以上の詳しい説明を割愛する。
【００２４】
一方、図１（ｂ）に示されるように、音楽再生システム１を構成する車載オーディオ機器２００は、例えば楽曲情報を表示する表示部２０１、音楽再生システム１（主に当該車載オーディオ機器２００）を操作するための操作部２０２、各部を制御する制御部２０３、音源や楽曲情報を記憶保持する記憶保持部（例：ハードディスク装置）２０４、この記憶保持部２０４に記憶保持される楽曲データを復号する復号化部２０７、携帯音楽機器１００へデータを無線にて送信する無線送信部２０８、携帯音楽機器１００によって無線にて送信されるデータを受信する無線受信部２０９、携帯音楽機器１００によって有線にて送信されるデータを受信する有線受信部２１０、音声の切替や音量調整等を行う音声出力制御部２１１、及び、音声を実際に出力する音声出力部（例えばスピーカ等）２１２等々を備える。
【００２５】
このうち、記憶保持部２０４には、上記記憶保持部１０４と同様に、適宜の圧縮形式（例えばＭＰ３形式等）にて各々圧縮された複数の楽曲データの集合体である音源２０５、この音源２０５を構成する各楽曲データについての楽曲情報（例えば、曲目及び歌手名並びに収録時のサンプリング周波数等）のデータベースである楽曲ＤＢ２０６がそれぞれ記憶保持されている。
【００２６】
また、車載オーディオ機器２００は、上記記憶保持部２０４とは異なる別個の音源２１３を備える。この音源２１３は、例えばＣＤメディアやＭＤメディア等、上記記憶保持部２０４とは異なる記憶媒体に記録された音源である。
【００２７】
なお、車載オーディオ機器２００の各構成要素については公知であるため、ここでのこれ以上の詳しい説明を割愛する。
【００２８】
次に、図２を参照して、既述した構成を有する携帯音楽機器１００の動作について説明する。なお、図２は、携帯音楽機器１００によって実行される音楽再生処理の処理手順を示すフローチャートである。
【００２９】
この図２に示されるように、当該携帯音楽機器１００の使用者によって操作部１０２に対し再生操作が行われると、携帯音楽機器１００（詳しくは制御部１０３）は、まず、その再生操作された楽曲データの楽曲情報を無線にて送信する。
【００３０】
制御部１０３は、このステップＳ１０１の処理を実行した後、携帯音楽機器１００の楽曲データを車載オーディオ機器２００に無線あるいは有線にて送信してこれを音声出力部２１２から再生出力するか、あるいは、車載オーディオ機器２００の楽曲データを音声出力部２１２から再生出力するかについて判断する。
【００３１】
詳しくは、制御部１０３は、ステップＳ１０２の判断処理において、上記再生操作された楽曲データの再生指示を車載オーディオ機器２００から受信したか否かを判断する。ここで、「Ｙｅｓ」と判断されるとき、車載オーディオ機器２００の楽曲データを音声出力部２１２から再生出力するのではなく、携帯音楽機器１００の楽曲データを車載オーディオ機器２００に無線あるいは有線にて送信してこれを音声出力部２１２から再生出力するべく、制御部１０３は、続くステップＳ１０３の判断処理に移行し、当該携帯音楽機器１００が車載オーディオ機器２００に有線接続されているか否かを判断する。
【００３２】
上記ステップＳ１０３の判断処理において「Ｎｏ」と判断されるとき、当該携帯音楽機器１００が車載オーディオ機器２００に有線接続されていないため、制御部１０３は、続くステップＳ１０４の処理として、携帯音楽機器１００の楽曲データを車載オーディオ機器２００に無線にて送信してこれを音声出力部２１２から再生出力する。なお、図示の便宜上、図２（〜図５）においては、携帯音楽機器１００を携帯機として略記する。
【００３３】
このステップＳ１０４の処理を実行すると、制御部１０３は、続くステップＳ１０５及びＳ１０６の処理として、車載オーディオ機器２００に再生開始通知を無線にて送信するとともに、携帯音楽機器１００の楽曲データを車載オーディオ機器２００に無線にて送信してこれを音声出力部２１２から再生出力する旨の表示を表示部１０１上にする（図４（ａ）参照）。
【００３４】
一方、上記ステップＳ１０３の判断処理において「Ｙｅｓ」と判断されるとき、当該携帯音楽機器１００が車載オーディオ機器２００に有線接続されているため、制御部１０３は、続くステップＳ１０７の処理として、携帯音楽機器１００の楽曲データを車載オーディオ機器２００に有線にて送信してこれを音声出力部２１２から再生出力する。
【００３５】
このステップＳ１０７の処理を実行すると、制御部１０３は、続くステップＳ１０８及びＳ１０９の処理として、車載オーディオ機器２００に再生開始通知を有線にて送信するとともに、携帯音楽機器１００の楽曲データを車載オーディオ機器２００に有線にて送信してこれを音声出力部２１２から再生出力する旨の表示を表示部１０１上にする（図４（ｂ）参照）。
【００３６】
このように、上記ステップＳ１０４〜Ｓ１０６の一連の処理、あるいはステップＳ１０７〜Ｓ１０９の一連の処理を実行すると、制御部１０３は、ステップＳ１１０の判断処理を通じて、上記再生操作された楽曲データの再生が終了するまで待機する。このステップＳ１１０の判断処理において「Ｙｅｓ」と判断されるとき、上記再生操作された楽曲データの再生が終了したため、制御部１０３は、続くステップＳ１１１の処理として、車載オーディオ機器２００に再生終了通知を無線あるいは有線にて送信する。
【００３７】
また、先のステップＳ１０２の判断処理において「Ｎｏ」と判断されるとき、携帯音楽機器１００の楽曲データが車載オーディオ機器２００に無線あるいは有線にて送信され音声出力部２１２から再生出力されるのではなく、車載オーディオ機器２００の楽曲データが音声出力部２１２から再生出力されることが多い。そのため、制御部１０３は、続くステップＳ１１２の判断処理に移行して、車載オーディオ機器２００から再生開始通知を受信したか否かを判断する。
【００３８】
上記ステップＳ１１２の判断処理において「Ｙｅｓ」と判断されるとき、車載オーディオ機器２００から再生開始通知を受信したため、車載オーディオ機器２００の楽曲データが音声出力部２１２から再生出力されている。そのため、制御部１０３は、続くステップＳ１１３の処理として、車載オーディオ機器２００の楽曲データが音声出力部２１２から再生出力されている旨の表示を表示部１０１上にする（図４（ｃ）参照）。なお、図示の便宜上、図２（〜図５）においては、車載オーディオ機器２００を車載機として略記する。こうしてステップＳ１１３の処理を実行すると、制御部１０３は、続くステップＳ１１４の判断処理を通じて、車載オーディオ機器２００において上記再生操作された楽曲データの再生が終了した旨の再生終了通知を受信するまで待機する。
【００３９】
なお、上記ステップＳ１１２の判断処理において「Ｎｏ」と判断されるとき、車載オーディオ機器２００から再生開始通知を受信しないため、車載オーディオ機器２００の楽曲データは音声出力部２１２から再生出力されてもいない。制御部１０３は、先のステップＳ１０２及びこのステップＳ１１２の判断処理を繰り返し実行しつつ待機する。
【００４０】
そして、上記ステップＳ１１１の処理を実行する、あるいは、上記ステップＳ１１４の判断処理において「Ｙｅｓ」と判断されると、制御部１０３は、続くステップＳ１１５の判断処理として、再生操作された楽曲データがあるか否かを判断する。ここで、再生操作された楽曲データがないと判断されるとき（ステップＳ１１５の判断処理において「Ｎｏ」）、制御部１０３は、当該音楽再生処理を終了する。一方、再生操作された楽曲データがあると判断されるとき（ステップＳ１１５の判断処理において「Ｙｅｓ」）、制御部１０３は、既述したステップＳ１０１〜Ｓ１１５の一連の処理を再度実行する。
【００４１】
次に、図３を参照して、既述した構成を有する車載オーディオ機器２００の動作について説明する。なお、図３は、車載オーディオ機器２００によって実行される音楽再生処理の処理手順を示すフローチャートである。
【００４２】
先の図２を用いて既述したように、携帯音楽機器１００の使用者によって操作部１０２に対し再生操作が行われると、携帯音楽機器１００は、再生操作された楽曲データの楽曲情報を無線にて送信する。車載オーディオ機器２００（正確には制御部２０３）は、この携帯音楽機器１００から送信された上記楽曲情報に基づいて、上記再生操作された楽曲データの曲目を楽曲ＤＢ２０６から検索する。そして、制御部２０３は、このステップＳ２０１の処理を実行した後、携帯音楽機器１００の楽曲データを車載オーディオ機器２００に無線あるいは有線にて送信させてこれを音声出力部２１２から再生出力するか、あるいは、車載オーディオ機器２００の楽曲データを音声出力部２１２から再生出力するかについて判断する。
【００４３】
詳しくは、ステップＳ２０２の判断処理として、上記再生操作された楽曲データが音源２０５あるいは２１３に含まれているか否かを判断する。なお、このステップＳ２０２の判断処理が特許請求の範囲に記載する「曲目一致判断手段」に相当する。
【００４４】
上記ステップＳ２０２の判断処理において「Ｎｏ」であるとき、上記再生操作された楽曲データは、音源２０５にも音源２１３にも含まれていないため、携帯音楽機器１００の楽曲データを車載オーディオ機器２００に無線あるいは有線にて送信させてこれを音声出力部２１２から再生出力することになる。
【００４５】
そこで、制御部２０３は、まず、続くステップＳ２０３の判断処理として、当該車載オーディオ機器２００に携帯音楽機器１００が有線接続されているか否かを判断する。このステップＳ２０３の判断処理において「Ｙｅｓ」と判断されるとき、当該車載オーディオ機器２００に携帯音楽機器１００が有線接続されているため、制御部２０３は、続くステップＳ２０４の処理として、上記再生操作された楽曲データの再生指示を携帯音楽機器１００に対し有線にて送信する。そして、制御部２０３は、続くステップＳ２０５の判断処理を通じて、上記再生操作された楽曲データの再生を開始した旨の再生開始通知を携帯音楽機器１００から受信するまで待機する。
【００４６】
このステップＳ２０５の判断処理において「Ｙｅｓ」と判断されると、再生開始通知を受信したため、制御部２０３は、続くステップＳ２０６の処理として、携帯音楽機器１００の楽曲データを車載オーディオ機器２００に有線にて送信させてこれを音声出力部２１２から再生出力する旨の表示を表示部２０１上にする（図４（ｂ）参照）。これにより、上記再生操作された楽曲を途切れることなく再生することができるようになる。
【００４７】
一方、上記ステップＳ２０３の判断処理において「Ｎｏ」と判断されるとき、当該車載オーディオ機器２００に携帯音楽機器１００が有線接続されていないため、制御部２０３は、続くステップＳ２０７の処理として、上記再生操作された楽曲データの再生指示を携帯音楽機器１００に対し無線にて送信する。そして、制御部２０３は、続くステップＳ２０８の判断処理を通じて、上記再生操作された楽曲データの再生を開始した旨の再生開始通知を携帯音楽機器１００から受信するまで待機する。このステップＳ２０８の判断処理において「Ｙｅｓ」と判断されると、再生開始通知を受信したため、制御部２０３は、続くステップＳ２０９の処理として、携帯音楽機器１００の音源１０５を車載オーディオ機器２００に無線にて送信させてこれを音声出力部２１２から再生出力する旨の表示を表示部２０１上にする。
【００４８】
このように、上記ステップＳ２０３〜Ｓ２０９の一連の処理を実行すると、制御部２０３は、続くステップＳ２１０の判断処理を通じて、上記再生操作された楽曲データの再生が終了した旨の通知が携帯音楽機器１００から送信されるまで待機する。
【００４９】
また、上記ステップＳ２０２の判断処理において「Ｙｅｓ」であるとき、上記再生操作された楽曲データは、携帯音楽機器１００の音源１０５に含まれていることはもちろんのこと、車載オーディオ機器２００の音源２０５あるいは音源２１３にも含まれている。
【００５０】
そこで、制御部２０３は、まず、続くステップＳ２１１の判断処理として、先のステップＳ２０２の判断処理において曲目が一致すると判断された音源１０５に含まれる楽曲データの音質と音源２０５あるいは２１３に含まれる楽曲データの音質とを比較する。すなわち、制御部２０３は、携帯音楽機器１００の楽曲データの音質が車載オーディオ機器２００の楽曲データの音質よりも高いか否かを判断する。なお、楽曲データの収録時のサンプリング周波数が高いほど、楽曲データの音質が高いと判断する。また、このステップＳ２１１の判断処理が特許請求の範囲に記載する「音質比較手段」に相当する。
【００５１】
このステップＳ２１１の判断処理において「Ｙｅｓ」と判断されるとき、すなわち、携帯音楽機器１００の楽曲データの音質の方が車載オーディオ機器２００の楽曲データの音質よりも高いとき、制御部２０３は、続くステップＳ２１２の判断処理において、先のステップＳ２０３の判断処理と同様、当該車載オーディオ機器２００に携帯音楽機器１００が有線接続されているか否かを判断する。このステップＳ２１２の判断処理において「Ｙｅｓ」と判断されるとき、上記ステップＳ２０４〜ステップＳ２０６の処理を実行する。
【００５２】
一方、上記ステップＳ２１２の判断処理において「Ｙｅｓ」と判断されるとき、制御部２０３は、続くステップＳ２１３の判断処理として、携帯音楽機器１００及び車載オーディオ機器２００間における電波状態の良否を判断する。なお、このステップＳ２１３の判断処理が特許請求の範囲に記載する「電波状態判断手段」に相当する。
【００５３】
詳しくは、制御部２０３は、ステップＳ２１３の判断処理において、携帯音楽機器１００の無線受信部１０８及び無線送信部１０９と車載オーディオ機器２００の無線送信部２０８及び無線受信部２０９との間における電波の電界強度が所定値を超えるとき、電波状態が良好であると判断する一方、上記電界強度が所定値以下であるとき、電波状態は良好ではないと判断する。なお、所定値とは、携帯音楽機器１００の楽曲データを車載オーディオ機器２００に無線にて送信させてこれを音声出力部２１２から再生出力する際に、再生出力された楽曲が途切れることがない程度のスループットが得られる電界強度よりも大きな値である。
【００５４】
上記ステップＳ２１３の判断処理において「Ｙｅｓ」と判断されるとき、すなわち、携帯音楽機器１００及び車載オーディオ機器２００間における電波状態が良好であるとき、制御部２０３は、上記ステップＳ２０７〜Ｓ２１０の処理を実行する。
【００５５】
一方、上記ステップＳ２１３の判断処理において「Ｎｏ」と判断されるとき、すなわち、携帯音楽機器１００及び車載オーディオ機器２００間における電波状態が良好でないとき、制御部２０３は、続くステップＳ２１４の処理として、車載オーディオ機器２００の楽曲データを音声出力部２１２から再生出力する。そして、制御部２０３は、続くステップＳ２１５及びＳ２１６の処理として、携帯音楽機器１００に再生開始通知を無線にて送信するとともに、車載オーディオ機器２００の音源２０５あるいは２１３を音声出力部２１２から再生出力する旨の表示を表示部２０１上にする。
【００５６】
このように、上記ステップＳ２１４〜Ｓ２１６の一連の処理を実行すると、制御部２０３は、ステップＳ２１７の判断処理を通じて、上記再生操作された楽曲データの再生が終了するまで待機する。このステップＳ２１７の判断処理において「Ｙｅｓ」と判断されるとき、上記再生操作された楽曲データの再生が終了したため、制御部２０３は、続くステップＳ２１８の処理として、携帯音楽機器１００に再生終了通知を無線あるいは有線にて送信する。
【００５７】
なお、図４（ａ）〜（ｃ）に、携帯音楽機器１００の表示部１０１及び車載オーディオ機器２００の表示部２０１による表示例をそれぞれ示す。ちなみに、図４（ａ）は、携帯音楽機器１００の楽曲データを車載オーディオ機器２００に無線にて送信しこれを音声出力部２１２から再生出力する場合の表示例である。また、図４（ｂ）は、携帯音楽機器１００の楽曲データを車載オーディオ機器２００に有線にて送信しこれを音声出力部２１２から再生出力する場合の表示例である。そして図４（ｃ）は、車載オーディオ機器２００の楽曲データを音声出力部２１２から再生出力する場合の表示例である。
【００５８】
次に、図５を参照しつつ、本実施の形態の音楽再生システム１の動作例を説明する。なお、図５（ａ）及び（ｂ）は、本実施の形態の動作例をそれぞれ示すシーケンス図である。
【００５９】
図５（ａ）に示されるように、当該携帯音楽機器１００の使用者によって操作部１０２に対し再生操作が行われると、携帯音楽機器１００は、まず、再生操作された楽曲データの楽曲情報を無線にて送信する（ステップＳ１０１）。車載オーディオ機器２００は、携帯音楽機器１００から送信された上記楽曲情報を受信すると、次に、この楽曲情報に基づいて、上記再生操作された楽曲データの曲目を楽曲ＤＢ２０６から検索する（ステップＳ２０１）。そして、車載オーディオ機器２００は、上記再生操作された楽曲データの曲目が楽曲ＤＢ２０６に含まれているとき、携帯音楽機器１００の音源１０５に含まれる楽曲データの音質と車載オーディオ機器２００の音源２０５あるいは２１３に含まれる楽曲データの音質とを比較する（ステップＳ２１１）。なお、携帯音楽機器１００は待機しており、車載オーディオ機器２００からの応答を待っている。
【００６０】
車載オーディオ機器２００の音源２０５あるいは２１３に含まれる楽曲データの音質の方が携帯音楽機器１００の音源１０５に含まれる楽曲データの音質よりも高いため、車載オーディオ機器２００にて楽曲の再生が開始され、携帯音楽機器１００に対し再生開始通知が送信される（ステップＳ２１５）。これに伴い、携帯音楽機器１００の表示部１０１には、車載オーディオ機器２００にて再生中の旨が表示される（ステップ２１６）。
【００６１】
車載オーディオ機器２００による楽曲データの再生が終了すると、携帯音楽機器１００に対し再生終了通知が送信され（ステップＳ２１８）、次曲がある場合には、携帯音楽機器１００において曲送りされる（ステップＳ１１５）。
【００６２】
また、図５（ｂ）に示されるように、当該携帯音楽機器１００の使用者によって操作部１０２に対し再生操作が行われると、携帯音楽機器１００は、まず、再生操作された楽曲データの楽曲情報を無線にて送信する（ステップＳ１０１）。車載オーディオ機器２００は、携帯音楽機器１００から送信された上記楽曲情報を受信すると、次に、この楽曲情報に基づいて、上記再生操作された楽曲データの曲目を楽曲ＤＢ２０６から検索する（ステップＳ２０１）。そして、車載オーディオ機器２００は、上記再生操作された楽曲データの曲目が楽曲ＤＢ２０６に含まれているとき、携帯音楽機器１００の音源１０５に含まれる楽曲データの音質と車載オーディオ機器２００の音源２０５あるいは２１３に含まれる楽曲データの音質とを比較する（ステップＳ２１１）。なお、携帯音楽機器１００は待機しており、車載オーディオ機器２００からの応答を待っている。
【００６３】
携帯音楽機器１００の音源１０５に含まれる楽曲データの音質の方が車載オーディオ機器２００の音源２０５あるいは２１３に含まれる楽曲データの音質よりも高く、携帯音楽機器１００及び車載オーディオ機器２００間の電波状態も良好であるため、車載オーディオ機器２００から携帯音楽機器１００に対し再生指示が送信される（ステップＳ２１３）。
【００６４】
携帯音楽機器１００は、再生指示を受信すると、上記再生操作された楽曲データの再生を開始し（ステップＳ１０４）、車載オーディオ機器２００に対し再生開始通知を送信する（ステップＳ１０５）。このとき、携帯音楽機器１００の表示部１０１には、携帯機にて再生中の旨が表示される（ステップＳ１０６）。
【００６５】
携帯音楽機器１００による楽曲データの再生が終了すると、車載オーディオ機器２００に対し再生終了通知が送信され（ステップＳ１１１）、次曲がある場合には、携帯音楽機器１００において曲送りされる（ステップＳ１１５）。
【００６６】
以上説明したように、本実施の形態の音楽再生システム１では、車載オーディオ機器２００は、ステップＳ２０２の判断処理を通じて、携帯音楽機器１００に記憶保持され再生操作された楽曲データの曲目と同一の曲目の楽曲データが車載オーディオ機器２００に記憶保持された音源２０５あるいは２１３に含まれるか否かを判断することで、携帯音楽機器１００の楽曲データを当該車載オーディオ機器２００に無線あるいは有線にて送信させてこれを音声出力部２１２から再生出力するか、車載オーディオ機器２００の楽曲データを音声出力部２１２から再生出力していた。車載オーディオ機器２００の楽曲データを音声出力部２１２から再生出力する場合、楽曲データは、車載オーディオ機器に有線にて伝達されるため、楽曲の途切れが生じることはなくなる。したがって、再生出力される楽曲の途切れ防止を図ることができるようになる。
【００６７】
本実施の形態の音楽再生システム１では、車載オーディオ機器２００は、ステップＳ２１１及び２１３の処理を通じて、携帯音楽機器１００の音源１０５に含まれ再生操作された楽曲データの音質の方が、車載オーディオ機器２００の音源２０５あるいは２１３に含まれる同一の曲目の楽曲データの音質よりも高いと判断され、且つ、携帯音楽機器１００及び車載オーディオ機器２００間における電波状態が良好であると判断されるとき、携帯音楽機器１００の楽曲データを当該車載オーディオ機器２００に無線にて送信させてこれを音声出力部２１２から再生出力していた。これにより、楽曲の途切れ防止を図るだけでなく、再生出力される楽曲の音質の向上を図ることができるようになる。
【００６８】
なお、本発明に係る音楽再生システムは、上記実施の形態にて例示した構成に限定されるものではなく、本発明の趣旨を逸脱しない範囲において、種々に変形して実施することが可能である。すなわち、上記実施の形態を適宜変更した例えば次の形態として実施することもできる。
【００６９】
上記実施の形態では、制御部２０３は、携帯音楽機器１００の音源１０５に含まれ、再生操作された楽曲データのサンプリング周波数と、車載オーディオ機器の音源２０５あるいは２１３に含まれ、曲目が一致すると判断された楽曲データのサンプリング周波数とを比較し、これが楽曲データのうちサンプリング周波数の高い楽曲データを音質が高い楽曲データであると判断していた（ステップＳ２１１の判断処理）が、楽曲データの音質の高低についての判断方法は任意である。他に例えば、楽曲データのうちデータ量が多いほど音質が高いと判断してもよい。
【００７０】
上記実施の形態（変形例を含む）では、制御部２０３は、携帯音楽機器１００及び車載オーディオ機器２００間における電波の電界強度が所定値を越えるとき、電波状態が良好であると判断する一方、電界強度が所定値以下であるとき、電波状態が不良であると判断していた（ステップＳ２１３の判断処理）が、携帯音楽機器１００及び車載オーディオ機器２００間における電波状態の良否についての判断方法は任意である。他に例えば、携帯音楽機器１００及び車載オーディオ機器２００間でテスト信号の送受信を行い、その際のスループットの所定値への到達態様に基づきこれら両機器１００及び２００間の電波状態の良否について判断してもよい。
【００７１】
上記実施の形態（変形例を含む）では、先の図２において、ステップＳ２１１〜ステップＳ２１３の判断処理を割愛してもよい。これによっても、所期の目的を達成することはできる。
【００７２】
上記実施の形態（変形例を含む）では、車載オーディオ機器２００は、携帯音楽機器１００から無線にて送信される楽曲データの曲目と同一の曲目の楽曲データが音源２０５あるいは２１３に含まれているか否かを判断していたが、これに限らない。他に例えば、車載オーディオ機器２００は、放送によって受信した楽曲データの曲目と同一の曲目の楽曲データが音源２０５あるいは２１３に含まれているかを判断してもよい。
【００７３】
上記実施の形態（変形例を含む）では、受信機能付きオーディオ機器として、車両に搭載した車載オーディオ機器を採用していたが、これに限らない。受信機能付きオーディオ機器の設置場所は任意である。
【図面の簡単な説明】
【００７４】
【図１】本発明に係る音楽再生システムの一実施の形態について、（ａ）は、携帯音楽機器の構成例を示すブロック図。（ｂ）は、車載オーディオ機器の構成例を示すブロック図。
【図２】本実施の形態を構成する携帯音楽機器によって実行される音楽再生処理について、その処理手順を示すフローチャート。
【図３】本実施の形態を構成する車載オーディオ機器によって実行される音楽再生処理について、その処理手順を示すフローチャート。
【図４】（ａ）〜（ｃ）は、本実施の形態を構成する携帯音楽機器の表示部及び車載オーディオ機器の表示部による表示例をそれぞれ示す図。
【図５】（ａ）及び（ｂ）は、本実施の形態の動作例をそれぞれ示すシーケンス図。
【符号の説明】
【００７５】
１…音楽再生システム、１００…携帯音楽機器、１０１、２０１…表示部、１０２、２０２…操作部、１０３、２０３…制御部、１０４、２０４…記憶保持部、１０５、２０５、２１３…音源、１０６、２０６…楽曲データベース、１０７、２０７…復号化部、１０８…無線受信部、１０９…無線送信部、１１０…有線送信部、２００…車載オーディオ機器（受信機能付きオーディオ機器）、２０８…無線送信部、２０９…無線受信部、２１０…有線受信部、２１１…音声出力制御部、２１２…音声出力部。
【図１】
0004924476.tif 000002
【図２】
0004924476.tif 000003
【図３】
0004924476.tif 000004
【図４】
0004924476.tif 000005
【図５】
0004924476.tif 000006